(57)【特許請求の範囲】
【請求項１】
互いに結合させることにより電気信号の送受信が可能となる第１及び第２のサブコネクタと、該第１のサブコネクタと第２のサブコネクタを結合させた後、該結合の解除を禁止する結合解除禁止手段とからなるサブコネクタの結合解除禁止構造であって、
前記第１のサブコネクタは、樹脂成型部材により互いに電気的に絶縁性が保持されるように該樹脂成型部材に埋設され回路基板に形成された所定の回路配線に接続される複数の接続端子と、周囲にフランジを有し該フランジから一体的に形成され前記第２のサブコネクタと結合される金属製のソケットを備え、
前記第２のサブコネクタは、樹脂成型部材により互いに電気的に絶縁性が保持されるように該樹脂成型部材に埋設されハーネスに接続される複数の接続端子と、周囲にフランジを有し該フランジから一体的に形成され前記第１のサブコネクタと結合される金属製のソケットを備え、
前記第１のサブコネクタと前記第２のサブコネクタは、該第１のサブコネクタと第２のサブコネクタの前記フランジに該第１のサブコネクタと第２のサブコネクタが結合された状態で該結合の解除を規制する結合解除規制手段を備え、
前記結合解除禁止手段は、第１及び第２の結合解除禁止部材からなり、該第１及び第２の結合解除禁止部材は互いに係合する係止爪と係止縁と該係止爪と該係止縁を前記結合解除規制手段の外側を包囲するように係合させたとき該第１及び第２の結合解除禁止部材の内側に突設するリブを備え、
前記結合解除規制手段が前記結合の解除を規制している状態で、該結合解除規制手段の外側を包囲するように前記係止爪と前記係止縁を前記第１及び第２の結合解除禁止部材の内側で係合させるとともに前記リブが前記第１のサブコネクタのフランジと前記第２のサブコネクタのフランジとの間で前記第１及び第２のサブコネクタのフランジの外周より小さな間隔を隔てて位置するように構成されてなることを特徴とするサブコネクタの結合解除禁止構造。
【請求項２】
前記第１及び第２の結合解除禁止部材は、側面が略コの字形状に屈曲形成され、当該屈曲部の一端部に前記係止爪が形成されるとともに他端部に前記係止縁が形成された同一形状の部材で形成されてなることを特徴とする請求項１記載のサブコネクタの結合解除禁止構造。
【発明の詳細な説明】
【技術分野】
【０００１】
本発明は、電子制御回路によって制御される遊技機等に用いられるサブコネクタの結合解除禁止構造に関する。
【背景技術】
【０００２】
従来、スロットマシンやパチンコ遊技機など、数字や図柄等の複数の識別情報を可変表示可能な可変表示装置を有し、この可変表示装置によって所定の始動条件の成立に従い複数の識別情報を可変表示させ、所定の停止条件の成立に従い可変表示を停止させ、停止したときの識別情報の組み合わせが予め定められた特定の態様（全て同じ識別情報が揃う等）となった場合に、大当たり又はボーナスゲーム等の遊技者にとって有利な遊技状態となるように制御される遊技機がある。
【０００３】
この種の遊技機には遊技者の射幸心を徒に高揚させることを防止するため、遊技機の性能、効果演出の機能等の細部に種々の規制があり、指定の検査機関の検査にてこれらの規制事項に適合していることの認定を受けなければ遊技機を市場に投入することができない。従って、この種の遊技機の電子制御部は、指定の検査機関の検査にて適合認定を受けた後は、電子回路やその記憶装置（ＲＯＭやＲＡＭ等）の内容が不正に改造されないよう、正規の制御回路への外部からの異物の侵入や不正な回路の接続等を防止している。
【０００４】
例えばこれらの遊技機には遊技の進行全般を統括制御するメイン制御基板、主に遊技の進行に応じてなされる各種の効果演出を制御するサブ制御基板を始め多数の回路基板が使用されており、これらの基板はそれぞれ不正改造を防止するため制御基板ケースで封止されているが、基板同士を接続する各種のコネクタ部分は接続作業を容易にするために基板ケース外に露出している。
【０００５】
このような接続部分の不正改造を容易に発見するための技術として、特殊なコネクタを用いることにより一度接続したコネクタの接続を解除する場合に、そのコネクタの一部を破壊しなければ接続が解除できないように構成する技術が提案されている。
【０００６】
【特許文献１】特開２００３−３２５９１１号公報
【発明の開示】
【発明が解決しようとする課題】
【０００７】
しかしながらこのような従来のコネクタの接続解除規制装置では、特殊で複雑な構造のコネクタを必要とするので、部品コストが高価になるとともに組立作業が煩雑であるという課題があった。
【０００８】
本発明はこのような従来の課題を解決するためになされたもので、汎用のサブコネクタと簡単な部材を用いてサブコネクタの結合解除を禁止できるサブコネクタの結合解除禁止構造を提供することを目的とする。
【課題を解決するための手段】
【０００９】
このような課題を解決するために請求項１に記載の発明は、互いに結合させることにより電気信号の送受信が可能となる第１及び第２のサブコネクタと、該第１のサブコネクタと第２のサブコネクタを結合させた後、該結合の解除を禁止する結合解除禁止手段とからなるサブコネクタの結合解除禁止構造であって、前記第１のサブコネクタは、樹脂成型部材により互いに電気的に絶縁性が保持されるように該樹脂成型部材に埋設され回路基板に形成された所定の回路配線に接続される複数の接続端子と周囲にフランジを有し該フランジから一体的に形成され前記第２のサブコネクタと結合される金属製のソケットを備え、前記第２のサブコネクタは、樹脂成型部材により互いに電気的に絶縁性が保持されるように該樹脂成型部材に埋設されハーネスに接続される複数の接続端子と周囲にフランジを有し該フランジから一体的に形成され前記第１のサブコネクタと結合される金属製のソケットを備え、前記第１のサブコネクタと前記第２のサブコネクタは、該第１のサブコネクタと第２のサブコネクタの前記フランジに該第１のサブコネクタと第２のサブコネクタが結合された状態で該結合の解除を規制する結合解除規制手段を備え、前記結合解除禁止手段は、第１及び第２の結合解除禁止部材からなり、該第１及び第２の結合解除禁止部材は互いに係合する係止爪と係止縁と該係止爪と該係止縁を前記結合解除規制手段の外側を包囲するように係合させたとき該第１及び第２の結合解除禁止部材の内側に突設するリブを備え、前記結合解除規制手段が前記結合の解除を規制している状態で該結合解除規制手段の外側を包囲するように前記係止爪と前記係止縁を前記第１及び第２の結合解除禁止部材の内側で係合させるとともに前記リブが前記第１のサブコネクタのフランジと前記第２のサブコネクタのフランジとの間で前記第１及び第２のサブコネクタのフランジの外周より小さな間隔を隔てて位置するように構成されてなることを特徴とする。
【００１０】
この請求項１に記載のサブコネクタの結合解除禁止構造によれば、サブコネクタの結合解除禁止構造が汎用のＤサブコネクタと簡単な構造の結合解除禁止部材で構成される。第１及び第２のＤサブコネクタを結合させた後、これら第１及び第２のＤサブコネクタのフランジに形成された結合解除規制手段が当該結合の解除を規制、即ち結合が解除されないようにする。この状態で結合解除規制手段の外側を包囲するように、第１及び第２の結合解除禁止部材が、それらに形成された係止爪と係止縁を当該第１及び第２の結合解除禁止部材の内側で係合させる。このとき第１及び第２の結合解除禁止部材に形成されたリブは、第１のサブコネクタのフランジと第２のサブコネクタのフランジとの間でこれら第１及び第２のサブコネクタのフランジの外周より小さな間隔を隔てて位置する。この第１及び第２の結合解除禁止部材の係止爪と係止縁による係合は、係合後、結合解除禁止部材を破壊しない限り解放できない。
【００１１】
請求項２に記載のサブコネクタの結合解除禁止構造は、前記第１及び第２の結合解除禁止部材が、側面が略コの字形状に屈曲形成され当該屈曲部の一端部に前記係止爪が形成されるとともに他端部に前記係止縁が形成された同一形状の部材で形成されてなることを特徴とする。このサブコネクタの結合解除禁止構造は、第１及び第２の結合解除禁止部材として同一形状の部材を２個使用して構成される。
【発明の効果】
【００１２】
請求項１に記載のサブコネクタの結合解除禁止構造によれば、第１及び第２のサブコネクタとして汎用のＤサブコネクタを使用でき、これら第１及び第２のＤサブコネクタを結合させた後、これら第１及び第２のＤサブコネクタのフランジに形成された結合解除規制手段を当該結合の解除を規制している状態で、外側から包囲するように２個の結合解除禁止部材を係合させているので、安価な部材でサブコネクタの結合が解除されることを禁止でき、不正な改造を防止することができる。
【００１３】
また、Ｄサブコネクタの結合部の外周部を２つの結合解除禁止部材で包囲するように係合させる簡単な構成なので、作業性の良好なサブコネクタの結合解除禁止構造を提供することができる。
【００１４】
請求項２に記載のサブコネクタの結合解除禁止構造によれば、上記請求項１に記載のサブコネクタの結合解除禁止構造の効果に加えて、第１及び第２の結合解除禁止部材が、側面が略コの字形状に屈曲形成され、当該屈曲部の一端部に前記係止爪が形成されるとともに他端部に前記係止縁が形成された同一形状の部材で形成されるので、２個の同一の部材で結合解除禁止部材を構成でき、部材をより安価に作業性良く構成することができる。
【発明を実施するための最良の形態】
【００１５】
以下、本発明が適用される遊技機としてスロットマシンを例にその好適な実施形態を説明する。ここで、図１はスロットマシンの外観を表す正面図、図２はスロットマシンの前扉を開放してその内部の構造を表した図である。
【００１６】
まず図１を参照し、スロットマシン１の外観構造を説明する。スロットマシン１は、いわゆるフロントマスクを形成する前扉２が略矩形状の箱体である筐体（図２の符号３参照）の開口部に対し開閉可能に取り付けられている。前扉２は、視覚効果を高めてデザインされた上部パネル部４、下部パネル部５及び操作卓６に概ね区分けされ、これらは硬質プラスチックにより一体的に形成されている。
【００１７】
上部パネル部４の上部及び側部には、高輝度の発光ダイオードを内蔵する演出用照明部７、８ａ、８ｂがそれぞれ配置されている。また、スピーカを内蔵し遊技に係る効果音を発生させる演出用放音部９ａ、９ｂが上部パネル部４の左右にそれぞれ配置されている。また、演出用放音部９ａ、９ｂの間には、遊技の演出に係る映像を主に表示する演出表示装置としての液晶表示ユニット１０が配置されている。
【００１８】
更に上部パネル部４には平板状のパネル面を有するパネルユニット１１が取り付けられ、その中央に略長方形の透明な表示窓１２が形成されている。表示窓１２を通して目視されるリール１３ａ、１３ｂ、１３ｃは、それぞれ円筒形状を有して独立して回転可能であり、筐体内において回転軸方向に３個配列されている。遊技者は、各リール１３ａ、１３ｂ、１３ｃの外周面に配置した複数種類の図柄のうち縦３個、横３列の図柄を、表示窓１２を通して目視することができる。
【００１９】
上部パネル部４と下部パネル部５との間に設けられている操作卓６には、ゲームに用いるメダルを投入するための投入口を有するメダル投入部１４と、ベットボタン１５と、スタートレバー１６と、ストップボタン１７ａ、１７ｂ、１７ｃがそれぞれ配設されている。
【００２０】
ベットボタン１５は、スロットマシンの当該ゲームに賭けるメダルの枚数を提示するための押圧操作可能なボタンスイッチである。スタートレバー１６は、リール１３ａ、１３ｂ、１３ｃの回転開始の操作をするための傾倒操作可能なレバースイッチである。リール１３ａ、１３ｂ、１３ｃの回転停止の操作をするためのストップボタン１７ａ、１７ｂ、１７ｃは、それぞれ押圧操作可能なボタンスイッチから形成され、各リールの配列に対応してそれぞれ並べて配置されている。
【００２１】
下部パネル部５には、スロットマシン１のモデルタイプを遊技者へ認識させる等のため、登場キャラクタの絵などを表示するパネル２１が設けられている。また、下部パネル部５の下側部には、メダルを貯留するための受皿部２３が形成された受皿ユニット２２が設けられている。また受皿ユニット２２には、入賞時にメダルを排出するメダル払出口２４と、スピーカを内蔵し演出効果音を発生させる演出用放音部２５とがそれぞれ配置されている。
【００２２】
次に、図２を参照して、筐体３の内部構造と前扉２の裏面構造とを説明する。同図において、筐体３内の上部には、ＣＰＵ、ＲＯＭ、ＲＡＭ等を備えるマイクロコンピュータから形成される制御基板であって、スロットマシン１の全体動作を集中して制御するメイン制御基板３０が硬質プラスチックの基板ケースに被覆されたメイン制御装置３１が取り付けられている。
【００２３】
筐体３内の中央には、リール１３ａ、１３ｂ、１３ｃを備える可変表示装置としてのリールユニット１３が設けられている。リールユニット１３は、前扉２のパネルユニット１１に形成された表示窓１２に対しリール１３ａ、１３ｂ、１３ｃが対向するように、筐体３のフレーム３２に位置決めされて取り付けられている。
【００２４】
また、リールユニット１３の上部には、各リール１３ａ、１３ｂ、１３ｃを回転駆動するステッピングモータへ４相の駆動パルス信号を送出する図示しない回胴装置基板が取り付けられており、メイン制御基板３０が回胴装置基板に回胴駆動（励磁）パルスデータを送出することで、各リールの回転と制動及び停止の制御を行っている。
【００２５】
リールユニット１３の下方には、メダル投入部１４から投入されたメダルを貯留し入賞の配当の際に排出口３３ａからメダルを排出するメダル払出装置としてのホッパ装置３３と、ホッパ装置３３から溢れたメダルを収容する補助貯留部３４と、スロットマシン１に内蔵される各機器へ電力を配電する主電源装置３５が設けられている。
【００２６】
次に、前扉２の裏面側上部には、上述の演出用照明部７を構成する発光ダイオード４３と、演出用放音部９ａ、９ｂ（図１参照）に対向するスピーカ４２ａ、４２ｂが取り付けられている。また、図２には示していないが、スピーカ４２ａ、４２ｂの間に、液晶表示ユニット１０が取り付けられ、液晶表示ユニット１０の裏面側に当該液晶表示ユニット等を制御駆動するサブ制御基板４０が基板ケースに被覆されたサブ制御装置４１が取り付けられている。
【００２７】
なお、スロットマシン１の全体の動作は、筐体３側に設けられているメイン制御基板３０によって統括制御されており、サブ制御基板４０は、液晶表示ユニット１０による演出映像の表示制御、演出用照明部７、８ａ、８ｂ等を使った照明制御、及び演出用放音部９ａ、９ｂ、２５を使った演出効果音制御など、ゲームの演出に係る制御を主に行なっている。
【００２８】
サブ制御装置４１の下方には、透明な表示窓１２が形成されたパネルユニット１１が配置される。また、パネルユニット１１は、リール１３ａ、１３ｂ、１３ｃの外周面を照射して図柄を明るく表示させるための冷陰極蛍光ランプ４４と、冷陰極蛍光ランプ４４を駆動するインバータ４５と、スタートレバー１６及びストップボタン１７ａ、１７ｂ、１７ｃ等の操作スイッチ類の出力信号をメイン制御基板３０へ転送する中継基板である中央表示基板４６とを備え、これらがユニット化されている。
【００２９】
パネルユニット１１の下方には、メダル選別装置４７が取り付けられている。メダル選別装置４７は、メダル投入部１４（図１参照）に投入されたメダルの適否を判別し、規定のメダルのみを選別する。メダル選別装置４７は、内蔵するメダルセンサが投入されたメダルを検知したとき、メダル投入コマンド信号をメイン制御基板３０へ送出している。
【００３０】
メダル選別装置４７の下方には、選別された規定のメダルをホッパ装置３３へ案内するためのガイド部材４８と、メダル選別装置４７により排除されたメダル（又は異物）をメダル排出口２４へ案内するためのガイド部材４９と、入賞の際にホッパ装置３３の排出口３３ａから排出されたメダルをメダル排出口２４へ案内するためのガイド部材５０が設けられている。更に、メダル排出口２４に隣接して、上述した演出用放音部２５に対向するスピーカ５１が取り付けられている。
【００３１】
かかる構成のスロットマシン１は、先のゲームにおいて入賞しメダルの払い出しが完了した時、又は先のゲームにおいてハズレが確定すると待機状態となる。この状態において、何れかのベットボタン１５が押圧操作されると、内部に貯留したメダル（クレジット）から当該ゲームにメダルが賭けられ、ゲームが開始する。
【００３２】
ゲーム開始の状態で、スタートレバー１６が傾倒操作されると、メイン制御基板３０はリール１３ａ、１３ｂ、１３ｃを一斉に回転させ始める。同時に入賞役を内部的な処理で抽選し、その結果を役抽選フラグ（メモリ）に記憶する。
【００３３】
次に、遊技者がストップボタン１７ａ、１７ｂ、１７ｃを任意の順番で押圧操作すると、メイン制御基板３０は、それに従い順次、対応するリールを停止させる。そして、全てのリール１３ａ、１３ｂ、１３ｃが停止したことを検知すると、各リールに表示された図柄の組み合わせが、上述の役抽選フラグに記憶された入賞役に係る図柄の組み合わせと一致しているか否か判定する。これらが一致したときには、当該入賞が確定し、その入賞役の種類に応じた配当数のメダルをクレジットに加算する。入賞の配当によりクレジットが上限を超える場合には、ホッパ装置３３から超過分のメダルを受皿部２３へ払い出している。
【００３４】
本発明のサブコネクタの結合解除禁止構造は、上述したメイン制御装置３１、サブ制御装置４１等と他の制御装置の回路基板との接続に用いて好適するものである。
【００３５】
図３乃至図８は本発明の一実施形態を詳述するための図であり、図３は回路基板に実装された第１のサブコネクタを示す平面図、図４は第１及び第２のサブコネクタが結合している状態を示す側面図、図５は本発明の結合解除禁止部材の一実施形態を示す斜視図、図６は図５の結合解除禁止部材が係合した状態を示す要部断面図、図７は本発明の一実施形態を示す平面図、図８は本発明の一実施形態を示す断面図である。
【００３６】
図３において、電子回路を構成する回路基板３００には他の回路基板と接続するための複数のコネクタ３１０や電子部品３２０とともに第１のサブコネクタである雌側Ｄサブコネクタ１００が実装されている。
【００３７】
このＤサブコネクタ１００は、複数の接続端子１１１を互いに電気的に絶縁性が保持されるように埋設した樹脂成型部材１１２と、この樹脂成型部材１１２を保持し後述する第２の雄側Ｄサブコネクタと結合する金属製のソケット１１０と、この金属性ソケット１１０から一体的に形成されたフランジ１１３とを備えている。このフランジ１１３には、一対の金属製の支持板１２０がソケット１１０の両側にねじ１２５で固着されている。支持板１２０には、弾性を有する鋼線を略Ω字形状に湾曲形成した留め具１２１を、その留め具１２１の両端部１２２ａ、１２２ｂにて回動可能に保持する軸受部１２４ａ、１２４ｂが形成されており、この軸受部１２４ａ、１２４ｂにて留め具１２１を回動自在に保持している。
【００３８】
図４は、図３の雌側Ｄサブコネクタ１００に雄側Ｄサブコネクタ２００が結合した状態を示す側面図である。図において雄側Ｄサブコネクタ２００は、雌側Ｄサブコネクタ１００のソケット１１０と結合する金属製のソケット２１０と、この金属製のソケット２１０から一体的に形成されたフランジ２１３とを備えている。このフランジ２１３には、一対の金属製の支持板２２０がソケット２１０の両側にねじ２２５で固着されている。支持板２２０には、結合した２つのＤサブコネクタ１００、２００の結合解除を規制する結合解除規制手段を構成する後述する係合片２２１ａ、２２１ｂ、が形成されている。これら係合片２２１ａ、２２１ｂ、は、雌側Ｄサブコネクタ１００に取付けられた留め具１２１を図４中破線で示す水平位置から図４中実線で示す垂直位置に回動することにより、留め具１２１の係合部１２３ａ、１２３ｂ（図３参照）が係合片２２１ａ、２２１ｂに係合して雌側Ｄサブコネクタ１００と雄側Ｄサブコネクタ２００の結合の解除を禁止するように規制することができるものである。なお、留め具１２１を図４中破線の位置に回動すると、雌側Ｄサブコネクタと雄側Ｄサブコネクタの結合、解除を許容する状態となる。また、雄側Ｄサブコネクタ２００のソケット２１０の反対側の胴部２１４から、雄側Ｄサブコネクタ２００の複数の接続端子（図示せず）に接続されたハーネス２３０が延出している。
【００３９】
図５は本発明の結合解除禁止部材の一実施形態を示す斜視図である。２個１組で使用される結合解除禁止部材５００、５００は、側面が略コの字形状となるように透明な硬質プラスチックを成型して形成されている。一方の屈曲部５１０には係止爪５１３を備えた係止片５１１が延設されて形成されている。他方の屈曲部５２０には内側に係止縁５２３を備えた凹部５２１が形成されている。屈曲片５２０の外側は内側に形成された凹部５２１に対応する膨出部５２５となっており、外側からは凹部５２１及び係止縁５２３に触れられないように形成されている。結合解除禁止部材５００の２つの屈曲部５１０、５２０の間の壁部５０１にはその内側に向けて棚状のリブ５３０が一体的に形成されている。また、壁部５０１の上部中央には内側へ膨出された膨出壁５４０が形成されている。
【００４０】
図６は２個の結合解除禁止部材５００、５００が係止爪５１３を係止縁５２３に係止させて係合している状態を示す要部断面図である。係止爪５１３を備えた係止片５１１は、係止爪５１３が凹部５２１の係止縁５２３に係止する位置まで内側に弾性変形し、図６に示す係止位置で形状を復帰させ２つの結合解除禁止部材５００、５００を係合させる。この状態では、結合解除禁止部材５００、５００の一部を破壊しない限り係合状態を開放することはできない。また、２つの結合解除禁止部材５００、５００の壁部５０１から内側に突設された棚状のリブ５３０、５３０は間隔を隔てて対向している。
【００４１】
図７は、結合された２つのＤサブコネクタ１００、２００に２つの結合解除禁止部材５００、５００を係合させる状態を示し、図７（ａ）は結合解除禁止部材５００、５００を係合する前の平面図、図７（ｂ）は結合解除禁止部材５００、５００を係合させた状態を示す平面図である。
【００４２】
図において、雌側Ｄサブコネクタ１００のフランジ１１３（図３参照）に装着された留め具１２１は垂直に回動され、留め具１２１の係合部１２３ａ、１２３ｂが雄側Ｄコネクタ２００のフランジ２１３に固着された支持板２２０の係合片２２１ａ、２２１ｂに係合しており、これら留め具１２１と指示板２２０から構成されている結合解除規制手段は、雌側Ｄサブコネクタ１００と雄側Ｄサブコネクタ２００との結合の解除を禁止するように規制している。
【００４３】
図７（ｂ）に示すように、２つの結合解除禁止部材５００、５００は、２つのＤサブコネクタ１００、２００の結合部及び留め具１２１と支持板２２０からなる結合解除規制手段を包囲するように、互いの係止爪５１３を係止縁５２３に係合させる。このとき、結合解除禁止部材５００、５００の壁部５０１、５０１中央部の膨出壁５４０、５４０は雄側Ｄサブコネクタ２００の胴部２１４を挟持するように位置する。
【００４４】
図７（ｂ）の状態では、結合解除規制手段の留め具１２１を水平方向に回動して２つのＤサブコネクタ１００、２００の結合解除を許容する状態にすることはできなくなっている。
【００４５】
図８は図７（ｂ）の状態を、結合解除禁止部材５００を破断して示す側面図である。図に示すように、結合解除禁止部材５００、５００の膨出壁５４０、５４０は雄側Ｄサブコネクタ２００の胴部２１４を挟持するように位置し、結合解除禁止部材５００、５００のリブ５３０、５３０は、雌側Ｄサブコネクタ２００のフランジ１１３と雄側Ｄサブコネクタ２００のフランジ２１３の間でこれら雌側Ｄサブコネクタ２００のフランジ１１３と雄側Ｄサブコネクタ２００のフランジ２１３の外周より小さな間隔を隔てて、雄側Ｄサブコネクタ２００のソケット２１０を挟持するように位置している。従って、係合された２個の結合解除禁止部材５００、５００が図中の上下方向に抜け落ちることはない。
【００４６】
以上説明したように本発明のサブコネクタの結合解除禁止構造によれば、汎用のＤサブコネクタと簡単な部材を用いてサブコネクタの結合解除を禁止することができ、遊技機の不正な改造を防止することができる。
【００４７】
なお、上述した実施形態では、結合解除規制手段を留め具１２１と支持板２２０の係合片２２１ａ、２２１ｂを用いるもので説明したが、雌側Ｄサブコネクタ２００のフランジ１１３と雄側Ｄサブコネクタ２００のフランジ２１３とを周知のボルトとナットで締結する構造で構成しても良い。
【産業上の利用可能性】
【００４８】
本発明のサブコネクタの結合解除禁止構造はスロットマシンに限らず、パチンコ遊技機やその他の遊技機に用いることができるものである。
【図面の簡単な説明】
【００４９】
【図１】本発明に係る遊技機としてのスロットマシンの正面図である。
【図２】図１のスロットマシンの内部構造を表した図である。
【図３】本発明の一実施形態を示す平面図である。
【図４】本発明の一実施形態を示す側面図である。
【図５】本発明の一実施形態を示す斜視図である。
【図６】図５の要部を示す側面図である。
【図７】本発明の一実施形態を示す平面図である。
【図８】本発明の一実施形態を一部破断して示す側面図である。
【符号の説明】
【００５０】
１００  第１のサブコネクタ
１１０、２１０  ソケット
１１１  接続端子
１１２  樹脂成型部材
１１３、２１３  フランジ
１２１  留め具（結合解除規制手段）
２００  第２のサブコネクタ
２２１ａ、２２１ｂ  係合片（結合解除規制手段）
２３０  ハーネス
５００  結合解除禁止部材（結合解除禁止手段）
５１０、５２０  屈曲部
５１３  係止爪
５２３  係止縁
５３０  リブ
【図１】
0004662253.tif 000002
【図２】
0004662253.tif 000003
【図３】
0004662253.tif 000004
【図４】
0004662253.tif 000005
【図５】
0004662253.tif 000006
【図６】
0004662253.tif 000007
【図７】
0004662253.tif 000008
【図８】
0004662253.tif 000009